(57)【特許請求の範囲】
【請求項１】
血液浄化処理を行う血液回路と、
前記血液回路の所定の圧力を測定する圧力測定手段と、
前記圧力測定手段によって測定される圧力に対する圧力警報値が設定される設定手段と、
前記圧力測定手段によって測定された測定圧力値と前記設定手段に設定された圧力警報値との関係を表示部に表示する表示手段と、
前記設定手段に設定された圧力警報値に連動して、前記表示部に表示できる圧力値の上限値が前記圧力警報値の最大値または前記最大値に所定の数値を加算した値になり、かつ前記表示部に表示できる圧力値の下限値が前記圧力警報値の最小値または前記最小値から所定の数値を減算した値になるように、前記表示部に表示される圧力値の範囲を変動する圧力範囲変動手段と、を有する、血液浄化装置。
【請求項２】
前記最大値に加算される所定の数値は１〜５０mmHgの何れかの値であり、前記最小値から減算される所定の数値は１〜５０mmHgの何れかの値である、請求項１に記載の血液浄化装置。
【請求項３】
前記最大値に加算される所定の数値は、前記表示部に表示できる圧力値の上限値が圧力単位の５０の整数倍になる値であり、前記最小値から減算される所定の数値は、前記表示部に表示できる圧力値の下限値が圧力単位の５０の整数倍になる値である、請求項１に記載の血液浄化装置。
【請求項４】
前記圧力警報値は、複数段階の圧力警報値を有し、
前記表示部に表示できる圧力値の上限値が前記複数段階の圧力警報値のうちの最大値または前記最大値に所定の数値を加算した値になり、前記表示部に表示できる圧力値の下限値が前記複数段階の圧力警報値のうちの最小値または前記最小値から所定の数値を減算した値になる、請求項１〜３のいずれかに記載の血液浄化装置。
【請求項５】
血液浄化処理を行う血液回路と、
前記血液回路上に位置し、血液を送液する血液ポンプと、
前記血液回路の所定の圧力を測定する圧力測定手段と、
前記圧力測定手段によって測定される圧力に対する限界値を示す第１の圧力警報値と、前記血液ポンプによって前記血液回路内に血液を送液中に前記圧力測定手段により測定された基準圧力値を基準に決定される第２の圧力警報値と、前記第１の圧力警報値又は前記第２の圧力警報値の少なくともいずれかを基準にして決定される第３の圧力警報値と、が設定される設定手段と、
前記圧力測定手段によって測定された測定圧力値とともに、当該測定圧力値と前記第１、第２および第３の圧力警報値との関係を表示部に表示する表示手段と、
前記設定手段に設定された第１の圧力警報値に連動して、前記表示部に表示できる圧力値の上限値が第１の圧力警報値の上限値または当該上限値に所定の数値を加算した値になり、かつ前記表示部に表示できる圧力値の下限値が第１の圧力警報値の下限値または当該下限値から所定の数値を減算した値になるように、前記表示部に表示される圧力値の範囲を変動する圧力範囲変動手段と、
前記圧力測定手段によって測定される測定圧力値をモニタリングして、前記第１の圧力警報値、前記第２の圧力警報値、又は前記第３の圧力警報値のいずれかに達したときに警報を発する警報発生手段と、を有する、血液浄化装置。
【請求項６】
前記第２の圧力警報値は、前記設定手段に前記基準圧力値からの上限幅又は下限幅の少なくとも一方の値が設定されることにより設定される、請求項５に記載の血液浄化装置。
【請求項７】
前記第３の圧力警報値は、前記設定手段に前記第１の圧力警報値又は前記第２の圧力警報値の少なくとも一方からの上限幅又は下限幅の少なくとも一方の値が設定されることにより設定される、請求項５または６に記載の血液浄化装置。
【請求項８】
圧力測定手段によって測定された血液回路の所定の測定圧力値と、設定手段に設定された圧力警報値との関係を表示手段の表示部に表示するステップと、
前記設定手段に設定された圧力警報値に連動して、前記表示部に表示できる圧力値の上限値が圧力警報値の最大値または前記最大値に所定の数値を加算した値になり、かつ前記表示部に表示できる圧力値の下限値が圧力警報値の最小値または前記最小値から所定の数値を減算した値になるように、前記表示部に表示される圧力値の範囲を変動するステップと、を有する、血液浄化装置の制御方法。
【請求項９】
圧力測定手段によって測定された血液回路の所定の測定圧力値と、設定手段に設定された圧力警報値との関係を表示手段の表示部に表示するステップと、
前記設定手段に設定された圧力警報値に連動して、前記表示部に表示できる圧力値の上限値が圧力警報値の最大値または前記最大値に所定の数値を加算した値になり、かつ前記表示部に表示できる圧力値の下限値が圧力警報値の最小値または前記最小値から所定の数値を減算した値になるように、前記表示部に表示される圧力値の範囲を変動するステップと、をコンピュータに実行させるためのプログラム。
【発明の詳細な説明】
【技術分野】
【０００１】
本発明は、血液浄化装置、血液浄化装置の制御方法及びプログラムに関する。
【背景技術】
【０００２】
従来より、患者の体内から血液を取り出しこの血液から病因物質や特定の白血球等を除去して体内に戻す血液浄化治療が実施されている。このような血液浄化治療においては、体内から取り出した血液を体外で循環させて体内に戻すための血液回路と、血液回路上に設けられ、血液を送液する血液ポンプと、血液回路の所定の圧力を測定する圧力測定手段等を有する血液浄化装置が使用されている。
【０００３】
血液浄化治療が安全に施行されるために、血液回路の圧力が常時モニタリングされている。モニタリングされた測定圧力が、予め設定されている圧力警報値の上限値と下限値の間の範囲（正常範囲）であれば、正常状態と判断される。当該正常範囲を超えると異常状態と判断され、警報を発生し、原因が取り除かれるまで治療は中断される。
【０００４】
ところで、血液回路の圧力は患者の個体差、血液浄化装置の運転条件、周囲環境などによって変化するため、圧力警報値も状況に応じて使用者が自由に設定できることが望ましい。また、モニタリングされた測定圧力と圧力警報値との関係はグラフなどによって視覚化され、装置のディスプレイに表示されることが望ましい。
【０００５】
従来のディスプレイには、圧力警報値を設定できる設定手段や、測定圧力値と圧力警報値との関係を表示するグラフなどの表示部が設けられている。図１１に示すように表示部１００は、圧力値の目盛方向に一定の長さを有し、表示部１００の一端の上限値は、ディスプレイに設定可能な最大値（例えば４００mmHg）に予め固定され、表示部１００の他端の下限値は、ディスプレイに設定可能な最小値（例えば−４００mmHg）に予め固定されている。これにより、表示部１００に表示される圧力値の範囲は、設定可能な最小値から設定可能な最大値まで（例えば−４００mmHg〜４００mmHg）となる。なお、圧力を表示するディスプレイに関する技術が開示された文献として、特許文献１、２が挙げられる。
【先行技術文献】
【特許文献】
【０００６】
【特許文献１】特開２００４−２４８７９３号公報
【特許文献２】特開２００４−３１３３７０号公報
【発明の概要】
【発明が解決しようとする課題】
【０００７】
上記ディスプレイにおいて、図１１に示すように個々の患者に適合する圧力警報値Ｐmax,Ｐminを設定し、表示部１００に表示した場合に、表示部１００の表示範囲に対し正常範囲Ａ（圧力警報値の上限値Ｐmaxと下限値Ｐminの間の範囲）が狭くなることがある。この場合、血液浄化処理中、現在の圧力を示す測定圧力値Ｐｔと圧力警報値Ｐmax,Ｐminとの関係が視認し難しくなる。特に、血液浄化処理のためのディスプレイには、安全確保等のため血液浄化処理の状態を示す複数種類の圧力情報、血流情報等の多数の情報を表示する必要があるため、それぞれの表示部１００の寸法が比較的小さく正常範囲Ａが狭くなり、測定圧力値と圧力警報値の関係が視認し難い。
【０００８】
本発明はかかる点に鑑みてなされたものであり、ディスプレイなどの表示手段における測定圧力値と圧力警報値との関係を示す表示部の視認性を向上できる血液浄化装置、血液浄化装置の制御方法及びプログラムを提供することをその目的とする。
【課題を解決するための手段】
【０００９】
上記目的を達成するための本発明は、血液浄化処理を行う血液回路と、前記血液回路の所定の圧力を測定する圧力測定手段と、前記圧力測定手段によって測定される圧力に対する圧力警報値が設定される設定手段と、前記圧力測定手段によって測定された測定圧力値と前記設定手段に設定された圧力警報値との関係を表示部に表示する表示手段と、前記設定手段に設定された圧力警報値に連動して、前記表示部に表示できる圧力値の上限値が前記圧力警報値の最大値または前記最大値に所定の数値を加算した値になり、かつ前記表示部に表示できる圧力値の下限値が前記圧力警報値の最小値または前記最小値から所定の数値を減算した値になるように、前記表示部に表示される圧力値の範囲を変動する圧力範囲変動手段と、を有する、血液浄化装置である。
【００１０】
本発明によれば、設定手段に設定された圧力警報値に連動して、表示部に表示できる圧力値の上限値が圧力警報値の最大値または前記最大値に所定の数値を加算した値、前記表示部に表示できる圧力値の下限値が圧力警報値の最小値または前記最小値から所定の数値を減算した値になるように、表示部の圧力値の範囲が変動されるので、表示部の長さを有効に利用し、圧力警報値の上限値から下限値までの範囲をより広く表示できる。これにより、測定圧力値と圧力警報値との関係を示す表示部の視認性を向上できる。
【００１１】
前記最大値に加算される所定の数値は１〜５０mmHgの何れかの値であり、前記最小値から減算される所定の数値は１〜５０mmHgの何れかの値であってもよい。また、前記最大値に加算される所定の数値は、前記表示部に表示できる圧力値の上限値が圧力単位の５０の整数倍になる値であり、前記最小値から減算される所定の数値は、前記表示部に表示できる圧力値の下限値が圧力単位の５０の整数倍になる値であってもよい。
【００１２】
前記圧力警報値は、複数段階の圧力警報値を有し、前記表示部に表示できる圧力値の上限値が前記複数段階の圧力警報値のうちの最大値または前記最大値に所定の数値を加算した値になり、前記表示部に表示できる圧力値の下限値が前記複数段階の圧力警報値のうちの最小値または前記最小値から所定の数値を減算した値になるようにしてもよい。血液浄化処理の安全性を向上するため、圧力警報値を複数段階に設定する場合があるが、かかる場合においても、表示部の長さが有効に用いられるため、測定圧力値と圧力警報値との関係の視認性を確保できる。
【００１３】
別の観点による本発明は、血液浄化処理を行う血液回路と、前記血液回路上に位置し、血液を送液する血液ポンプと、前記血液回路の所定の圧力を測定する圧力測定手段と、前記圧力測定手段によって測定される圧力に対する限界値を示す第１の圧力警報値と、前記血液ポンプによって前記血液回路内に血液を送液中に前記圧力測定手段により測定された基準圧力値を基準に決定される第２の圧力警報値と、前記第１の圧力警報値又は前記第２の圧力警報値の少なくともいずれかを基準にして決定される第３の圧力警報値と、が設定される設定手段と、前記圧力測定手段によって測定された測定圧力値とともに、当該測定圧力値と前記第１、第２および第３の圧力警報値との関係を表示部に表示する表示手段と、前記設定手段に設定された第１の圧力警報値に連動して、前記表示部に表示できる圧力値の上限値が第１の圧力警報値の上限値または当該上限値に所定の数値を加算した値になり、かつ前記表示部に表示できる圧力値の下限値が第１の圧力警報値の下限値または当該下限値から所定の数値を減算した値になるように、前記表示部に表示される圧力値の範囲を変動する圧力範囲変動手段と、前記圧力測定手段によって測定される測定圧力値をモニタリングして、前記第１の圧力警報値、前記第２の圧力警報値、又は前記第３の圧力警報値のいずれかに達したときに警報を発する警報発生手段と、を有する、血液浄化装置である。
【００１４】
本発明によれば、設定手段に設定された、圧力限界値を示す第１の圧力警報値に連動して、表示部に表示できる圧力値の上限値が第１の圧力警報値の上限値または当該上限値に所定の数値を加算した値、表示部に表示できる圧力値の下限値が第１の圧力警報値の下限値または当該下限値から所定の数値を減算した値になるように、表示部の圧力値の範囲が変動されるので、表示部の長さを有効に利用し、第１の圧力警報値の上限値から下限値までの範囲をより広く表示できる。これにより、測定圧力値と、第１〜第３の圧力警報値との関係を示す表示部の視認性を向上できる。特に、第１の圧力警報値よりも狭い領域に表示される第２の圧力警報値や第３の圧力警報値について大きく表示されるので、これらの圧力警報値の視認性が飛躍的に向上する。
【００１５】
前記第２の圧力警報値は、前記設定手段に前記基準圧力値からの上限幅又は下限幅の少なくとも一方の値が設定されることにより設定されるようにしてもよい。
【００１６】
前記第３の圧力警報値は、前記設定手段に前記第１の圧力警報値又は前記第２の圧力警報値の少なくとも一方からの上限幅又は下限幅の少なくとも一方の値が設定されることにより設定されるようにしてもよい。
【００１７】
別の観点による本発明は、圧力測定手段によって測定された血液回路の所定の圧力値と、設定手段に設定された圧力警報値との関係を表示手段の表示部に表示するステップと、前記設定手段に設定された圧力警報値に連動して、前記表示部に表示できる圧力値の上限値が圧力警報値の最大値または前記最大値に所定の数値を加算した値になり、かつ前記表示部に表示できる圧力値の下限値が圧力警報値の最小値または前記最小値から所定の数値を減算した値になるように、前記表示部に表示される圧力値の範囲を変動するステップと、を有する、血液浄化装置の制御方法である。
【００１８】
別の観点による本発明は、圧力測定手段によって測定された血液回路の所定の圧力値と、設定手段に設定された圧力警報値との関係を表示手段の表示部に表示するステップと、前記設定手段に設定された圧力警報値に連動して、前記表示部に表示できる圧力値の上限値が圧力警報値の最大値または前記最大値に所定の数値を加算した値になり、かつ前記表示部に表示できる圧力値の下限値が圧力警報値の最小値または前記最小値から所定の数値を減算した値になるように、前記表示部に表示される圧力値の範囲を変動するステップと、をコンピュータに実行させるためのプログラムである。
【発明の効果】
【００１９】
本発明によれば、血液浄化装置の表示手段における測定圧力値と圧力警報値との関係を示す表示部の視認性が向上する。
【図面の簡単な説明】
【００２０】
【図１】血液浄化装置の構成の概略を示す説明図である。
【図２】設定画面の一例を示す説明図である。
【図３】表示画面の一例を示す説明図である。
【図４】血液浄化装置の制御方法のフローチャートである。
【図５】第２の実施の形態における設定画面の一例を示す説明図である。
【図６】第２の実施の形態における表示画面の一例を示す説明図である。
【図７】血液浄化処理開始時の表示画面の一例を示す説明図である。
【図８】表示部が扇型の場合の表示画面の一例を示す説明図である。
【図９】表示部の他の例を示す説明図である。
【図１０】表示部の他の例を示す説明図である。
【図１１】改良前の表示部を示す説明図である。
【発明を実施するための形態】
【００２１】
以下、図面を参照して、本発明の好ましい実施の形態について説明する。図１は、本実施の形態に係る血液浄化装置１の構成の概略を示す説明図である。
【００２２】
（第１の実施形態）
血液浄化装置１は、例えば血液浄化処理を行う血液回路１０と、血液回路１０の所定の圧力を測定する圧力測定手段１１と、圧力測定手段１１によって測定される測定圧力に対する圧力警報値が設定される設定手段１２と、圧力測定手段１１によって測定された測定圧力値と設定手段１２に設定された圧力警報値との関係を、一定の長さを有する後述する表示部７０に表示する表示手段１３と、設定手段１２に設定された圧力警報値に連動して、表示部７０に表示できる圧力値の上限値（表示部７０の一端の値）が圧力警報値の最大値、表示部７０に表示できる圧力値の下限値（表示部７０の他端の値）が圧力警報値の最小値になるように、表示部７０に表示される圧力値の範囲を変動する圧力範囲変動手段１４と、を有している。
【００２３】
血液回路１０上には、例えば血液を送液する血液ポンプ２０と、血液を浄化する血液浄化器２１が設けられている。
【００２４】
圧力測定手段１１は、例えば血液回路１０の血液浄化器２１より下流側に設けられた、血液回路１０内の圧力を検出する圧力センサ３０等を有している。これにより、血液浄化器２１の出口圧を測定できる。なお、圧力測定手段１１は、血液ポンプ２０の上流側の脱血圧、血液浄化器２１の入口圧等を測定してもよい。
【００２５】
設定手段１２、表示手段１３、圧力範囲変動手段１４及び警報発生手段１５は、例えば一つの制御装置４０として構成されている。
【００２６】
図２に示すように制御装置４０の設定画面５０は、タッチパネルであり、設定手段１２を構成している。設定画面５０には、圧力測定手段１１によって測定される血液回路１０内の測定圧力に対する圧力警報値を入力し設定する設定部５１がある。この圧力警報値は、圧力測定手段１１によって測定される測定圧力値に依存しない。設定画面５０には、設定された圧力警報値（圧力上限値Ｐmaxと圧力下限値Ｐmin）と、測定圧力値Ｐｔとの関係を表示する設定表示部５２がある。設定表示部５２は、例えば圧力値を一次元表示し、目盛方向（図２の左右方向）の一端に圧力上限値Ｐmaxが表示され、目盛方向の他端に圧力下限値Ｐminが表示され、その間に測定圧力値Ｐｔが表示されている。
【００２７】
図３に示すように制御装置４０の表示画面６０は、表示手段１３を構成している。表示画面６０には、圧力測定手段１１によって測定された測定圧力値Ｐｔと設定手段１２に設定された圧力警報値Ｐmax、Ｐminとの関係を表示する表示部７０がある。表示部７０は、細長の長方形状を有し、圧力値を一次元表示したグラフであり、目盛方向（図３の左右方向）に一定の長さを有している。
【００２８】
圧力範囲変動手段１４は、設定手段１２に設定された圧力警報値Ｐmax、Ｐminに連動して、表示部７０に表示できる圧力値の上限値が圧力警報値の最大値である圧力上限値Ｐmaxになり、表示部７０に表示できる圧力値の下限値が圧力警報値の最小値である圧力下限値Ｐminになるように、表示部７０に表示される圧力値の範囲を変動する。警報発生手段１５は、圧力測定手段１１によって測定される測定圧力値Ｐｔをモニタリングして、測定圧力値Ｐｔが圧力警報値Ｐmax、Ｐminに達したときに警報を発する。なお、これらの設定手段１２、表示手段１３、圧力範囲変動手段１４及び警報発生手段１５の動作は、制御装置４０のメモリなどの記憶部に記憶されたプログラムをＣＰＵなどの演算部において実行することによって実現される。
【００２９】
次に、血液浄化装置１の制御方法について説明する。図４は、当該血液浄化装置１の制御方法のフローチャートである。先ず、設定手段１２に設定された圧力警報値に連動して、表示部７０に表示できる圧力値の上限値が圧力警報値の圧力上限値Ｐmaxになり、表示部７０に表示できる圧力値の下限値が圧力警報値の圧力下限値Ｐminになるように、表示部７０に表示される圧力値の範囲が変動される（ステップＳ１）。次に、図３に示すように圧力測定手段１１によって測定された血液回路１０の測定圧力値Ｐｔと、設定手段１２に設定された圧力警報値Ｐmax、Ｐminとの関係が表示部７０に表示される（ステップＳ２）。その後、血液浄化処理が開始され、圧力測定手段１１によって測定される測定圧力値Ｐｔがモニタリングされ、測定圧力値Ｐｔが、圧力警報値の圧力上限値Ｐmax、圧力下限値Ｐminのいずれかに達したときに警報が発せられる（ステップＳ３）。
【００３０】
本実施の形態によれば、設定手段１２に入力された圧力警報値に連動して、表示部７０に表示できる圧力値の上限値が圧力上限値Ｐmaxになり、表示部７０に表示できる圧力値の下限値が圧力下限値Ｐminになるので、表示部７０の寸法を最大限有効に利用し、圧力警報値の上限値から下限値までの範囲をより広く表示できる。これにより、測定圧力値Ｐｔと圧力警報値との関係を示す表示部７０の視認性を向上できる。また、表示手段１３に例えば血液浄化処理の状態を示す多数の圧力情報等が表示され、各々の表示部７０の長さが限られる場合であっても、表示部７０の視認性を最大限確保できる。
【００３１】
（第２の実施の形態）
第２の実施の形態にかかる血液浄化装置１は、次に示す部分以外、第１の実施の形態と同様の構成を有している。なお、装置の各構成部分の符号は、第１の実施の形態と同じものを用い、同じ構成部分の説明は省略する。
【００３２】
血液浄化装置１は、複数段階の圧力警報値を有し、表示部７０に表示できる圧力値の上限値が複数段階の圧力警報値のうちの最大値になり、表示部７０に表示できる圧力値の下限値が複数段階の圧力警報値のうちの最小値になる。
【００３３】
図１に示すように血液浄化装置１は、例えば３段階の第１の圧力警報値Ｐ１、第２の圧力警報値Ｐ２及び第３の圧力警報値Ｐ３を設定する設定手段１２と、圧力測定手段１１によって測定された測定圧力値Ｐｔとともに、測定圧力値Ｐｔと第１、第２および第３の圧力警報値Ｐ１〜Ｐ３との関係を表示部７０に表示する表示手段１３と、設定手段１２に設定された第１の圧力警報値Ｐ１に連動して、表示部７０に表示できる圧力値の上限値が第１の圧力警報値Ｐ１の上限値になり、表示部７０に表示できる圧力値の下限値が第１の圧力警報値Ｐ１の下限値になるように、表示部７０に表示される圧力値の範囲を変動する圧力範囲変動手段１４と、圧力測定手段１１によって測定される測定圧力値Ｐｔをモニタリングして、第１の圧力警報値Ｐ１、第２の圧力警報値Ｐ２、又は第３の圧力警報値Ｐ３のいずれかに達したときに警報を発する警報発生手段１５と、を有している。
【００３４】
第１の圧力警報値Ｐ１は、圧力測定手段１１によって測定される所定の測定圧力に対して予め設定される限界値を示す。第１の圧力警報値Ｐ１は、測定圧力値Ｐｔに依存せず予め定められる絶対警報値である。第２の圧力警報値Ｐ２は、血液ポンプ２０によって血液回路１０内に血液を送液中に圧力測定手段１１により測定された基準圧力値Ｐｓを基準に決定される相対警報値である。基準圧力値Ｐｓは、例えば血液浄化処理開始してから所定時間経過後の圧力変動が小さくなった時点での測定圧力Ｐｔが採用される。第３の圧力警報値Ｐ３は、第１の圧力警報値Ｐ１又は第２の圧力警報値Ｐ２の少なくともいずれかを基準にして決定され、例えば測定圧力Ｐｔがいずれかの圧力警報値に近づいたことを知らせるためのものである。
【００３５】
例えば図５に示すように設定手段１２を構成する設定画面５０には、圧力測定手段１１によって測定される血液回路１０内の圧力に対する第１の圧力警報値Ｐ１を設定するための圧力上限値Ｐ１max、圧力下限値Ｐ１minと、第２の圧力警報値Ｐ２を設定するための上限幅Ｈ１、下限幅Ｈ２と、第３の圧力警報値Ｐ３を設定するためのプレ警報上限幅Ｈ３、プレ警報下限幅Ｈ４を入力し設定する設定部５１がある。また、設定画面５０には、例えば設定された第１の圧力警報値Ｐ１〜第３の圧力警報値Ｐ３と、測定圧力値Ｐｔとの関係を表示する設定表示部５２がある。設定表示部５２は、例えば圧力値を一次元表示し、目盛方向（図５の左右方向）の一端に第１の圧力警報値Ｐ１の圧力上限値Ｐ１maxが表示され、目盛方向の他端に圧力下限値Ｐ１minが表示され、その間に基準圧力値Ｐｓ、第２の圧力警報値Ｐ２の第２圧力上限値Ｐ２max、第２圧力下限値Ｐ２min、第３の圧力警報値Ｐ３の上限プレ警報値Ｐ３max、下限プレ警報値Ｐ３minが表示されている。
【００３６】
図６に示すように表示手段１３の表示画面６０には、圧力測定手段１１によって測定された測定圧力値Ｐｔと、基準圧力値Ｐｓ、第１の圧力警報値の圧力上限値Ｐ１max及び圧力下限値Ｐ１min、第２の圧力警報値の第２圧力上限値Ｐ２max及び第２圧力下限値Ｐ２min、第３の圧力警報値の上限プレ警報値Ｐ３max及び下限プレ警報値Ｐ３minとの関係が表示される表示部７０がある。
【００３７】
圧力範囲変動手段１４は、設定手段１２に設定された第１の圧力警報値Ｐ１に連動して、表示部７０に表示できる圧力値の上限値が第１の圧力警報値Ｐ１の圧力上限値P１maxになり、表示部７０に表示できる圧力値の下限値が第１の圧力警報値Ｐ１の圧力下限値Ｐ１minになるように、表示部７０に表示される圧力値の範囲を変動する。表示部７０には、基準圧力値Ｐｓを基準とした上限幅Ｈ１、Ｈ２によって第２圧力上限値Ｐ２max、第２圧力下限値Ｐ２minが表示される。また、表示部７０には、第２圧力下限値Ｐ２minを基準としたプレ警報上限幅Ｈ３によってプレ警報上限値Ｐ３maxが表示され、第２圧力上限値Ｐ２maxを基準としたプレ警報下限幅Ｈ４によってプレ警報下限値Ｐ３minが表示される。警報発生手段１５は、圧力測定手段１１によって測定される測定圧力値Ｐｔをモニタリングして、測定圧力値Ｐｔが圧力上限値Ｐ１max、圧力下限値Ｐ１min、第２圧力上限値Ｐ２max、第２圧力下限値Ｐ２min、プレ警報上限値Ｐ３max、プレ警報下限値Ｐ３minのいずれかに達したときに警報を発する。
【００３８】
なお、例えばこれらの設定手段１２、表示手段１３、圧力範囲変動手段１４及び警報発生手段１５の動作は、制御装置４０のメモリなどの記憶部に記憶されたプログラムをＣＰＵなどの演算部において実行することによって実現される。
【００３９】
次に、本実施の形態における血液浄化装置１の制御方法について説明する。先ず、設定手段１２に設定された第１の圧力警報値Ｐ１に連動して、表示部７０に表示できる圧力値の上限値が第１の圧力警報値Ｐ１の圧力上限値Ｐ１maxになり、表示部７０に表示できる圧力値の下限値が圧力警報値の圧力下限値Ｐ１minになるように、表示部７０に表示される圧力値の範囲が変動される（図４に示すステップＳ１）。次に、圧力測定手段１１によって測定された血液回路１０の測定圧力値Ｐｔと、設定手段１２によって設定された圧力上限値Ｐ１max、圧力下限値Ｐ１min、第２圧力上限値Ｐ２max、第２圧力下限値Ｐ２min、プレ警報上限値Ｐ３max、プレ警報下限値Ｐ３minとの関係が表示部７０に表示される（図４に示すステップＳ２）。なお、圧力上限値Ｐ１max、圧力下限値Ｐ１minは、設定手段１２において設定部５１に直接入力されて設定され、第２圧力上限値Ｐ２max、第２圧力下限値Ｐ２min、プレ警報上限値Ｐ３max及びプレ警報下限値Ｐ３minは、設定部５１に上限幅或いは上限幅を入力することにより基準圧力値Ｐｓに基づいて設定されている。その後、血液浄化処理が開始され、圧力測定手段１１によって測定される測定圧力値Ｐｔがモニタリングされ、測定圧力値Ｐｔが、圧力上限値Ｐ１max、圧力下限値Ｐ１min、第２圧力上限値Ｐ２max、第２圧力下限値Ｐ２min、又はプレ警報上限値Ｐ３max、プレ圧力警報下限値Ｐ３minのいずれかに達したときに警報が発せられる（図４に示すステップＳ３）。
【００４０】
本実施の形態によれば、設定手段１２に設定された第１の圧力警報値Ｐ１に連動して、表示部７０に表示できる圧力値の下限値が圧力上限値Ｐmaxになり、表示部７０に表示できる圧力値の下限値が圧力下限値Ｐminになるので、表示部７０の長さを最大限有効に利用し、第１の圧力警報値Ｐ１の上限値から下限値までの間の範囲がより広く表示される。これにより、測定圧力値Ｐｔと、第１〜第３の圧力警報値Ｐ１〜Ｐ３との関係を示す表示部７０の視認性を向上できる。特に、第１の圧力警報値Ｐ１よりも狭い領域に表示される第２の圧力警報値Ｐ２や第３の圧力警報値Ｐ３についてより広いスペースに表示されるので、これらの圧力警報値の視認性が飛躍的に向上する。
【００４１】
なお、本実施の形態において、表示部７０に第１の圧力警報値Ｐ１、第２の圧力警報値Ｐ２、第３の圧力警報値Ｐ３が表示されていたが、それ以外の圧力警報値が表示されてもよい。また、第３の圧力警報値Ｐ３は、第２の圧力警報値Ｐ２を基準に定められていたが、第１の圧力警報値Ｐ１を基準に定められていてもよいし、両者を基準に定められていてもよい。また、第２の圧力警報値Ｐ２と第３の圧力警報値Ｐ３は、上限値又は下限値のいずれかであってもよい。
【００４２】
血液浄化処理の開始時の圧力変動が比較的大きい時に、第２の圧力警報値Ｐ２を表示せずに、図７に示すように表示部７０に、第１の圧力警報値Ｐ１（圧力上限値Ｐ１max、圧力下限値Ｐ１min）と、当該第１の圧力警報値Ｐ１を基準として決定される第３の圧力警報値Ｐ３（プレ警報上限値Ｐ３max、プレ警報下限値Ｐ３min）が表示され、血液浄化処理の開始から所定時間経過後の圧力が比較的安定している時に、図６に示したように表示部７０に、第１の圧力警報値Ｐ１と、第２の圧力警報値Ｐ２（第２圧力上限値Ｐ２max、第２圧力下限値Ｐ２min）と、当該第２の圧力警報値Ｐ２を基準として決定される第３の圧力警報値Ｐ３（プレ警報上限値Ｐ３max、プレ警報下限値Ｐ３min）が表示されてもよい。
【００４３】
以上の実施の形態では、表示部７０が一定方向に直線状に延びるグラフであったが、例えば図８に示すような扇型のグラフであってもよい。このとき、測定圧力値Ｐｔを示す境界線の両側を異なる色や模様にしてもよい。その他、表示部７０は、円グラフ、波型グラフ等他の形状のグラフであってもよい。
【００４４】
また、以上の実施の形態では、圧力範囲変動手段１４が、設定手段１２に設定された圧力警報値に連動して、表示部７０に表示できる圧力値の上限値が圧力警報値の最大値になり、かつ表示部７０に表示できる圧力値の下限値が圧力警報値の最小値になるように、表示部７０に表示される圧力値の範囲を変動していたが、例えば図９に示すように圧力範囲変動手段１４は、表示部７０に表示できる圧力値の上限値が圧力警報値の最大値Ｐmaxに所定の数値α１を加算した値になり、かつ表示部７０に表示できる圧力値の下限値が圧力警報値の最小値Ｐminから所定の数値α２を減算した値になるように、表示部７０に表示される圧力値の範囲を変動してもよい。
【００４５】
例えば圧力警報値の最大値Ｐmaxに加算される所定の数値α１は、1〜50mmHg（圧力単位がＰａであれば、例えば133.3〜6666.1Ｐａ）の何れかの値であり、圧力警報値の最小値Ｐminから減算される所定の数値α２は、1〜50mmHg（圧力単位がＰａであれば、例えば133.3〜6666.1Ｐａ）の何れかの値である。
【００４６】
かかる場合、測定圧力値Ｐｔと圧力警報値との関係を示す表示部７０の視認性を向上できる。また、例えば測定圧力値Ｐｔが圧力警報値を超えた場合に、どの程度超えたかを認識することが可能になる。なお、かかる例において、所定の数値α１とα２は、同じ数値であってもよいし、異なる数値であってもよい。また、所定の数値α１とα２を設定手段１２により設定できるようにしてもよい。
【００４７】
また、図１０に示すように圧力警報値の最大値Ｐmaxに加算される所定の数値α１は、表示部７０に表示できる圧力値の上限値が圧力単位の５０の整数倍、例えば５０×ｎ（ｎは整数）mmHgになる値であり、圧力警報値の最小値Ｐminから減算される所定の数値α２は、表示部７０に表示できる圧力値の下限値が圧力単位の５０の整数数、例えば５０×ｋ（ｋは整数）mmHgになる値であってもよい。かかる場合、表示部７０の両端の数値が５０の整数倍（mmHg）となるので、表示部７０の視認性を向上できる。なお、図９及び図１０は、かかる所定の数値α１とα２を設定する例を上記第１の実施の形態にかかる血液透析装置１に適用したものであったが、第２の実施の形態にかかる血液透析装置１に適用してもよい。
【００４８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【符号の説明】
【００４９】
１  血液浄化装置
１０  血液回路
１１  圧力測定手段
１２  設定手段
１３  表示手段
１４  圧力範囲変更手段
１５  警報発生手段
２０  血液ポンプ
２１  血液浄化器
３０  圧力センサ
４０  制御装置
５０  設定画面
５１  設定部
５２  設定表示部
６０  表示画面
７０  表示部
【図１】
0005762010.tif 000002
【図２】
0005762010.tif 000003
【図３】
0005762010.tif 000004
【図４】
0005762010.tif 000005
【図５】
0005762010.tif 000006
【図６】
0005762010.tif 000007
【図７】
0005762010.tif 000008
【図８】
0005762010.tif 000009
【図９】
0005762010.tif 000010
【図１０】
0005762010.tif 000011
【図１１】
0005762010.tif 000012